(57)【要約】【課題】上部トレーを底上げ台として簡単に使用できるようにする。【解決手段】陳列収納箱１は，対向する天面部12および底面部14と，上記天面部12の外縁と上記底面部14の外縁を結ぶ壁面部13，15，16，17を備えるもので，上記壁面部に，上部トレー１Ａの壁面部と下部トレー１Ｂの壁面部の一部を繋げる回転面部15ｃを残して上記陳列収納箱１を下向きに開口する上部トレー１Ａと上向きに開口する下部トレー１Ｂとに分けるジッパー部が形成されている。上記回転面部15ｃの高さは，上部トレーの壁面15ａの高さと下部トレーの壁面15ｂの高さの合計と等しい。【選択図】図５
2019112071.tif 000002
【特許請求の範囲】
【請求項１】
対向する天面部および底面部と，上記天面部の外縁と上記底面部の外縁とを結ぶ壁面部を備える陳列収納箱であって，
上記壁面部に，上記陳列収納箱を下向きに開口する上部トレーと上向きに開口する下部トレーとに，上部トレーの壁面部と下部トレーの壁面部の一部を繋げる回転面部を残して分けるジッパー部が形成されており，
上記回転面部の高さが，上部トレーの壁面部の高さと下部トレーの壁面部の高さの合計に等しい，
陳列収納箱。
【請求項２】
回転面部の上下縁部と上部トレーの壁面部および下部トレーの壁面部のそれぞれとの境界に折り線が形成されている，
請求項１に記載の陳列収納箱。
【請求項３】
上部トレーの壁面部の高さが下部トレーの壁面部の高さよりも高い，
請求項１または２に記載の陳列収納箱。
【請求項４】
上記回転面部の左右の側端部が切り欠かれている，
請求項１から３のいずれか一項に記載の陳列収納箱。
【請求項５】
上記回転面部の隅部につながる上部トレーの壁面部および下部トレーの壁面部に切込みが入れられている，
請求項１から３のいずれか一項に記載の陳列収納箱。
【請求項６】
下向きに開口する上部トレーと，
上向きに開口する下部トレーと，
上部トレーの壁面部と下部トレーの壁面部の一部を繋げる回転面部とを備え，
回転面部の上下縁部と上部トレーの壁面部および下部トレーの壁面部のそれぞれとの境界に，上部トレーを， 360°回転させかつ上記回転面部の高さ分平行移動させて下部トレーの直下に位置させる第１，第２の回転軸として用いられる折り線が形成されている，
陳列収納箱。
【発明の詳細な説明】
【技術分野】
【０００１】
この発明は，菓子箱，カップ麺等の食品，ジュース，ビール等の飲料缶，その他の商品を収納しかつ商品の店頭における陳列にも使用される陳列収納箱に関する。
【背景技術】
【０００２】
食品スーパー等には複数の同一商品が収納された輸送箱（紙箱，ダンボール箱）が食品メーカー等から納入される。輸送箱から商品を取り出して陳列棚に陳列することで，商品は店頭販売される。
【０００３】
近年では輸送箱から商品を取り出す手間を省くために，輸送箱に収納されたまま商品を陳列することがある。特許文献１には上部ケースと下部ケースとに分離可能な段ボール箱（ラップラウンドケース）が開示されている。上部ケースを分離して取り除くことで，下部ケースに収められた商品が露出する。トレー状となった下部ケースごと商品は店頭で陳列される。
【０００４】
また，特許文献１は，ケース上部を底上げ補助台として用いることも開示する。すなわち，分離されたケース上部の上に，複数の商品（飲料缶）が収められたケース下部が重ねられ，これによって商品が収められたケース下部が，ケース上部の高さ分，底上げされて高い位置に陳列される。
【０００５】
特許文献１に記載のラップラウンドケースでは，底上げ台として用いられるケース上部と商品が収められたケース下部とが完全に分離される。このため，ケース下部を底上げ台（ケース上部）の上に置くときに，正確に位置決めすることが必要とされる。
【先行技術文献】
【特許文献】
【０００６】
【特許文献１】特開２０１１−１０５３１４号公報
【発明の開示】
【０００７】
この発明は，位置決めを要することなく，上部トレーを底上げ台として簡単に使用できるようにすることを目的とする。
【０００８】
この発明による陳列収納箱は，対向する天面部および底面部と，上記天面部の外縁と上記底面部の外縁を結ぶ壁面部を備えるものであって，上記壁面部に，上記陳列収納箱を下向きに開口する上部トレーと上向きに開口する下部トレーとに，上部トレーの壁面部と下部トレーの壁面部の一部を繋げる回転面部を残して分けるジッパー部が形成されており，上記回転面部の高さが，上記上部トレーの壁面部の高さと上記下部トレーの壁面部の高さの合計と等しいことを特徴とする。
【０００９】
陳列収納箱は，複数の商品を一まとまりに収納して商品輸送をやりやすくするために用いられるとともに，収納されている商品を陳列収納箱から取り出すことなく陳列するために用いられる。典型的には陳列収納箱（壁面部）は直方体状（四角筒状）の外形形状を備えるが，必ずしも直方体状（四角筒状）である必要はなく，三角柱（三角筒），八角柱（八角筒），円柱（円筒）など，その他の外形形状を備えてもよい。
【００１０】
壁面部に形成されたジッパー部を破り取る（取り去る）ことで，陳列収納箱は，ジッパー部よりも上側の上部トレーと，ジッパー部よりも下側の下部トレーとに分けられる。ここでジッパー部は壁面部の全周にわたって形成されておらず，上部トレー（その壁面部）と下部トレー（その壁面部）の一部を繋げる回転面部が残される。すなわち，上部トレーと下部トレーとは回転面部によってつながっており，完全には分離されない。
【００１１】
この発明によると，回転面部を下部トレーに対して外向きに 180°回転させる（下部トレーの壁面部の外面に沿うように回転面部を折る）ことができ，さらに上部トレーを回転面部に対して外向きに 180°回転させる（回転面部の外面に上部トレーの壁面部の外面が沿うように上部トレーを折る）ことができる。上部トレーは合計 360°回転するとともに，上記回転面部の高さ分，下向きに平行移動する。回転面部の高さが上記上部トレーの壁面部の高さと上記下部トレーの壁面部の高さの合計と等しいので， 360°回転しかつ下向きに平行移動した上部トレーは，開口を下向きにした姿勢で下部トレーの直下に至ることになる。
【００１２】
この発明によると，上部トレーを 360°回転させることで，下部トレーの直下に上部トレーをきちんと配置することができる。下部トレーの位置に合わせて上部トレーの位置を微調整等する必要がなく，上部トレーを底上げ台として簡単に使用することができる。
【００１３】
回転面部の高さを上部トレーの壁面部の高さと下部トレーの壁面部の高さの合計と等しくしておくことで，上述のように，上部トレーを 360°回転させたときに，上部トレーを下部トレーの直下にぴったりと配置することができる。もっとも，陳列収納箱を構成する紙材の厚さを考慮して回転面部の高さを微調整してもよい。紙材の厚さを考慮すれば，回転面部の高さは上部トレーの壁面部の高さと上記下部トレーの壁面部の高さの合計よりもわずかに高くされる。回転面部の高さが上部トレーの壁面部の高さと下部トレーの壁面部の高さの合計と等しいことには，このような誤差または微調整の範囲が含まれ，実質的に等しければよいことを理解されたい。
【００１４】
一実施態様では，上記回転面部の上下縁部と上部トレーの壁面部および下部トレーの壁面部のそれぞれとの境界に折り線が形成されている。折り線に沿って回転面部を折ることで，上部トレーをスムーズに回転させることができる。
【００１５】
好ましくは，上部トレーの壁面部の高さが下部トレーの壁面部の高さよりも高い。底上げをより高くすることができる。
【００１６】
一実施態様では，上記回転面部の左右の側端部が切り欠かれている。上部トレーを回転させる（斜め上方に持ち上げる）ときに，下部トレーに収納されている商品と上部トレー（特に回転面部と反対側の上部トレーの壁面部）とが干渉してしまい，上部トレーを回転させにくくなることが，上記回転面部の左右の側端部を切欠いておくことで防止または軽減される。
【００１７】
回転面部の左右の側端部を切欠くのに代えて，上記回転面部の隅部につながる上部トレーの壁面部および下部トレーの壁面部に切込みを入れておいてもよい。
【００１８】
この発明による陳列収納箱は，次のように規定することもできる。すなわち，第２の発明による陳列収納箱は，下向きに開口する上部トレーと，上向きに開口する下部トレーと，上部トレーの壁面部と下部トレーの壁面部の一部を繋げる回転面部とを備え，回転面部の上下縁部と上部トレーの壁面部および下部トレーの壁面部のそれぞれとの境界に，上部トレーを， 360°回転させかつ上記回転面部の高さ分平行移動させて下部トレーの直下に位置させる第１，第２の回転軸として用いられる折り線が形成されていることを特徴とする。上部トレーを 360°回転させることで，下部トレーの直下に，上部トレーを位置合わせせずともきちんと配置することができ，上部トレーを底上げ台として簡単に使用することができる。
【図面の簡単な説明】
【００１９】
【図１】第１実施例の陳列収納箱の展開図である。
【図２】第１実施例の陳列収納箱の斜視図である。
【図３】ジッパー部を引き裂いた第１実施例の陳列収納箱の斜視図である。
【図４】ジッパー部を引き裂いた第１実施例の陳列収納箱の背面図である。
【図５】ジッパー部を引き裂いた第１実施例の陳列収納箱の上部トレーを回転させて下部トレーの下方に移動させている途中の様子を示す斜視図である。
【図６】ジッパー部を引き裂いた第１実施例の陳列収納箱の上部トレーを回転させて下部トレーの下方に移動させている様子を示す側面図である。
【図７】変形例の陳列収納箱の背面図である。
【図８】第２実施例の陳列収納箱の展開図である。
【図９】ジッパー部を引き裂いた第２実施例の陳列収納箱の箱上部を回転させて箱下部の下方に移動させている様子を示す斜視図である。
【図１０】変形例の陳列収納箱の斜視図である。
【図１１】さらに他の変形例の陳列収納箱の斜視図である。
【図１２】さらに他の変形例の陳列収納箱の斜視図である。
【発明を実施するための最良の形態】
【００２０】
以下，この発明による陳列包装箱を詳細に説明する。
【実施例１】
【００２１】
図１は第１実施例の陳列収納箱の展開図（ブランク）を，図２は第１実施例の陳列収納箱の斜視図を，それぞれ示している。
【００２２】
図１の展開図は，図２に示す陳列収納箱（陳列輸送箱）１を形成する厚紙シートの型紙を示すもので，一点鎖線は陳列収納箱１を組み立てるときに山折りにされる折り線を示している。折り曲げを容易にするために，この一点鎖線に沿って押し罫加工等が施される。厚紙シートは，板紙シートであってもよいし，複数枚の板紙シートを多層構造にした段ボールシートであってもよい。図１に示すように型取り（型抜き）された型紙を折り曲げかつ必要箇所を接着（糊付け）することによって図２に示す陳列収納箱１がつくられる。
【００２３】
図１を参照して，型紙には，糊代パネル11，天面パネル12，正面パネル13，底面パネル14および背面パネル15が連設されている。糊代パネル11，天面パネル12，正面パネル13，底面パネル14および背面パネル15は，いずれもその高さ（縦方向の長さ）に比べて幅（横方向の長さ）が長く，長方形の形状を持つ。
【００２４】
天面パネル12の左右に側面パネル16がそれぞれ連設され，底面パネル14の左右にも側面パネル17がそれぞれ連設されている。正面パネル13および背面パネル15の左右にはフラップ18，19がそれぞれ連設されている。
【００２５】
正面パネル13とその左右に連設されたフラップ18にかけて，間隔をあけてほぼ平行に横向きにのびる二本の破断線が形成されている。二本の破断線によって挟まれた，横向きにのびる帯状範囲をジッパー部21と呼ぶ。ジッパー部21を規定する二本の破断線は型紙に間欠的に入れられる切れ目によって形成される。型紙を厚さ方向に半分程度切り込んだハーフカットによって破断線を形成してもよい。
【００２６】
後述するように，ジッパー部21は型紙（陳列収納箱１）から破り取られ，これによって正面パネル13およびその左右のフラップ18は上下に分離することになる。ジッパー部21を破り取った後に残る上下に分離した２つの正面パネル部分が符号13ａ，13ｂで示されている。２つの正面パネル部分13ａ，13ｂは，詳細は後述するが，陳列収納箱１から形成される上部トレーおよび下部トレーの正面がわの壁面部となる。
【００２７】
背面パネル15とその左右に連設されたフラップ19にも，破断線によって規定されるジッパー部22が形成されている。上述したジッパー部21と異なり，ジッパー部22は背面パネル15の全体（横方向全長）にわたって形成されておらず，背面パネル15の左右の端部からフラップ19にわたって形成されている。背面パネル15には，背面パネル15の左右の端部におけるジッパー部22を規定する２本の破断線に沿って平行にのびる２本の折り線Ｒ１，Ｒ２が形成されており，この折り線Ｒ１，Ｒ２によって，背面パネル15は３つの背面パネル部分に区画されている（符号15ａ，15ｂ，15ｃ）。詳細は後述するが，背面パネル部分15ａ，15ｂは上部トレーおよび下部トレーの背面がわの壁面部となる。背面パネル部分15ｃは上部トレーを回転させるための回転面部となる。
【００２８】
図１に示す型紙を用いて陳列収納箱１は次のようにして組み立てられる。すなわち，商品を底面パネル14上に置き，商品を包むようにして各パネルを隣接するパネルに対して直角に折る。商品は，天面パネル12，正面パネル13，底面パネル14，背面パネル15，側面パネル16，17によって包囲される。フラップ18は側面パネル17の裏面に，フラップ19は側面パネル16の裏面に，それぞれ接着する。糊代パネル11は背面パネル15（背面パネル部分15ａ）の裏面に接着する。商品を収納した陳列収納箱１（図２）が完成する。図２においては，分かりやすくするために，陳列収納箱１に収納されている商品の図示は省略されている。
【００２９】
図３は上述したジッパー部21，22を破り取った陳列収納箱１を示している。図４はジッパー部21，22を破り取った陳列収納箱１の背面図である。
【００３０】
図３を参照して，ジッパー部21，22を破り取ることで，陳列収納箱１には，天面パネル12と，天面パネル12の外周縁部に連続し，外周縁部から下向きにのびる壁面部（正面パネル部分13ａ，左右の側面パネル16および背面パネル部分15ａ）によって規定される下向きに開口する上部トレー１Ａと，底面パネル14と，底面パネル14の外周縁部に連続し，外周縁部から上向きにのびる壁面部（正面パネル部分13ｂ，左右の側面パネル17および背面パネル部分15ｂ）によって規定される上向きに開口する下部トレー１Ｂとが形付けられる。以下の説明では，上部トレー１Ａの正面パネル部分13ａ，左右の側面パネル16および背面パネル部分15ａを，それぞれ正面がわ壁面部13ａ，側面がわ壁面部16，背面がわ壁面部15ａと呼ぶ。同様に，下部トレー１Ｂの正面パネル部分13ｂ，左右の側面パネル17および背面パネル部分15ｂを，それぞれ正面がわ壁面部13ｂ，側面がわ壁面部17および背面がわ壁面部15ｂと呼ぶ。
【００３１】
図４を参照して，上述したように，背面パネル15に形成されるジッパー部22は背面パネル15の全体（横方向全長）にわたって形成されていず，このため上部トレー１Ａおよび下部トレー１Ｂは，完全に分離されずに背面においてつながっている。以下に詳細に説明するように，背面において上部トレー１Ａ（上部トレー１Ａの背面がわ壁面部15ａ）と下部トレー１Ｂ（下部トレー１Ｂの背面がわ壁面部15ｂ）とをつなぐ背面パネル部分15ｃは，上部トレー１Ａとの境界の折り線Ｒ２および下部トレー１Ｂとの境界の折り線Ｒ１を軸にして上部トレー１Ａを回転させるために用いられる。背面パネル部分15ｃを，以下，回転面部15ｃと呼ぶ。
【００３２】
図４を参照して，上部トレー１Ａの背面がわ壁面部15ａの高さＡは，下部トレー１Ｂの背面がわ壁面部15ｂの高さＢよりもわずかに高い（Ａ＞Ｂ）。また，回転面部15ｃの高さＣ（折り線Ｒ１とＲ２の間の距離，ジッパー部22の幅）は，背面がわ壁面部15ａの高さＡと背面がわ壁面部15ｂの高さＢの合計にほぼ等しい（Ｃ＝Ａ＋Ｂ）。
【００３３】
図５および図６は陳列収納箱１の上部トレー１Ａを回転させて下部トレー１Ｂの下方に移動させている様子を示している。
【００３４】
上述のように上部トレー１Ａは回転面部15ｃを介して下部トレー１Ｂにつながっている。回転面部15ｃは折り線Ｒ１を回転軸にして下部トレー１Ｂに対して外向きに 180°までの回転が可能であり，また上部トレー１Ａは折り線Ｒ２を回転軸にして回転面部15ｃに対して外向きに 180°までの回転が可能である。すなわち，商品Ｇの上に被せられている上部トレー１Ａ（図３参照）を，２つの折り線Ｒ１，Ｒ２を回転軸にして 360°回転させることができる。図６を参照して， 360°回転した上部トレー１Ａは，回転面部15ｃの高さＣに相当する距離だけ下方に平行移動する。下部トレー１Ｂの真下に，下向きに開口した姿勢の上部トレー１Ａを配置することができる。
【００３５】
回転面部15ｃの高さＣが，上部トレー１Ａの背面がわ壁面部15ａの高さＡと下部トレー１Ｂの背面がわ壁面部15ｂの高さＢの合計にほぼ等しい（Ｃ＝Ａ＋Ｂ）ので，上部トレー１Ａを 360°回転させたときに上部トレー１Ａが下部トレー１Ｂの真下に，上部トレー１Ａの天面パネル12と下部トレー１Ｂの底面パネル14と接するようにしてきちんと位置決めされる。また，上部トレー１Ａの背面がわ壁面部15ａの高さＡは，下部トレー１Ｂの背面がわ壁面部15ｂの高さＢよりもわずかに高い（Ａ＞Ｂ）ので，商品Ｇが収納されている下部トレー１Ｂをより高い位置にまで底上げすることができる。
【００３６】
陳列収納箱１（上部トレー１Ａ，下部トレー１Ｂおよび回転面部15ｃ）を構成する型紙の紙厚を考慮して，回転面部15ｃの高さＣを，上部トレー１Ａの背面がわ壁面部15ａの高さＡと下部トレー１Ｂの背面がわ壁面部15ｂの高さＢの合計（Ａ＋Ｂ）よりもわずかに高くしてもよい。この場合であっても，回転面部15ｃの高さＣが上部トレー１Ａの背面がわ壁面部15ａの高さＡと下部トレー１Ｂの背面がわ壁面部15ｂの高さＢの合計（Ａ＋Ｂ）にほぼ等しいことに変わりはない。
【００３７】
上述したように，背面パネル15の左右端部にジッパー部22が形成され（図１参照），これによって図４に示すように，回転面部15ｃの左右の側方に切欠き部分が形成されている。これは上部トレー１Ａを回転させる（斜め上方に移動させる）ときに，商品Ｇと上部トレー１Ａ，特にその正面がわ壁面部13ａとが干渉して上部トレー１Ａを移動（回転）させにくくなるのを防止するために形成されている。回転面部15ｃの左右に切欠き部分を形成しておくことで，上部トレー１Ａの背面がわ壁面部15ａおよび下部トレー１Ｂの背面がわ壁面部15ｂがたわみやすくなり，このたわみを利用することで上部トレー１Ａが商品Ｇに干渉しても上部トレー１Ａを回転させる（斜め上方に移動させる）ことができる。
【００３８】
もっとも，回転面部15ｃの左右の側方に切欠き部分を形成する必要は必ずしもない。図７に示すように，たとえば回転面部15ｃにつながる上部トレー１Ａの背面がわ壁面部15ａの両隅，および回転面部15ｃにつながる下部トレー１Ｂの背面がわ壁面部15ｂの両隅に切込み線Ｋを形成しておいてもよい。上部トレー１Ａの背面がわ壁面部15ａおよび下部トレーの背面がわ壁面部15ｂの変形が許容されるので，上部トレー１Ａが商品Ｇに干渉しても上部トレー１Ａを回転させる（斜め上方に移動させる）ことができる。
【実施例２】
【００３９】
図８は第２実施例の陳列収納箱の展開図（ブランク）を，図９は第２実施例の陳列収納箱についての図５に相当する上部トレーの回転時の様子を，それぞれ示している。
【００４０】
上述した第１実施例の陳列収納箱１はいわゆるラップラウンド方式と呼ばれるもので，商品Ｇを包囲しながら陳列収納箱１を組み立てるタイプのものである。これに対して第２実施例の陳列収納箱２はいわゆるオートボトム方式と呼ばれるものである。
【００４１】
図８に示す形状に打抜きされ，かつ折り線が入れられた型紙（ブランク材）が用意される。縦方向の折り線に沿って各パネルが隣設するパネルに対して直角に折られ，かつ糊代部29が反対側の側面パネル16，ジッパー部27，側面パネル17の側端部の内面に接着されることにより，角筒状の箱体（前面，両側面，後面）が形成される。底面部片14ａ〜14ｄが直角に折られ，かつ重ねられた部分が接着されることによって底面部が形成され，これによって天面が開口した陳列収納箱２が完成する。天面開口から陳列収納箱２内に商品Ｇが収納された後，側面パネル16の上縁につながるフラップ28，天面パネル12，フラップ・パネル11が直角に折られて上面が閉じられる。
【００４２】
陳列収納箱２もジッパー部26，27を備え，ジッパー部26，27を破り取ることによって回転面部15ｃでつながる上部トレー２Ａと下部トレー２Ｂが形成される。第１実施例と同様に，上部トレー２Ａは 360°回転させることができ，これによって下部トレー２Ｂの直下に，下向きに開口した姿勢の上部トレー２Ａを配置することができる。
【００４３】
上述した第１，第２実施例では，直方体状（四角筒状）の外形を備える陳列収納箱１，２を説明した。もっとも，陳列収納箱の形状は直方体状に限られないのは言うまでもない。図１０に示すように，四隅に平坦面を備える八角筒の外形を持つように陳列収納箱３を形成することもできるし，図１１に示す楕円筒状の外形を持つ陳列収納箱４，図１２に示す三角筒状の外形を持つ陳列収納箱５を形成することもできる。いずれの陳列収納箱３〜５も，回転面部15ｃでつながる上部トレー３Ａ，４Ａ，５Ａと下部トレー３Ｂ，４Ｂ，５Ｂを備え，折り線Ｒ１，Ｒ２を回転軸にして上部トレー３Ａ，４Ａ，５Ａを 360°回転させることによって，下部トレー３Ｂ，４Ｂ，５Ｂの直下に，下向きに開口した姿勢の上部トレー３Ａ，４Ａ，５Ａを配置することができ，商品Ｇを収納している下部トレー３Ｂ，４Ｂ，５Ｂを底上げすることができる。
【符号の説明】
【００４４】
１，２，３，４，５  陳列収納箱
１Ａ，２Ａ，３Ａ，４Ａ，５Ａ  上部トレー
１Ｂ，２Ｂ，３Ｂ，４Ｂ，５Ｂ  下部トレー
12  天面パネル（天面部）
14  底面パネル（底面部）
13ａ，13ｂ，15ａ，15ｂ，16，17  壁面部
15ｃ  回転面部
Ｒ１，Ｒ２  折り線（回転軸）
21，22，26，27  ジッパー部
Ｋ  切込み
【図１】
2019112071.tif 000003
【図２】
2019112071.tif 000004
【図３】
2019112071.tif 000005
【図４】
2019112071.tif 000006
【図５】
2019112071.tif 000007
【図６】
2019112071.tif 000008
【図７】
2019112071.tif 000009
【図８】
2019112071.tif 000010
【図９】
2019112071.tif 000011
【図１０】
2019112071.tif 000012
【図１１】
2019112071.tif 000013
【図１２】
2019112071.tif 000014